(57)【要約】【課題】使用開始前の開封片の封止性と、使用開始時の開封片の開封性の両方を十分に確保できるラップフィルム収納箱を提供する。【解決手段】ラップフィルム収納箱１は、箱本体の長手方向に沿って設けられた開封片２０を切り取ることによって箱本体を開封可能である。箱本体には、開封片２０を接着する接着部２２が長手方向に沿って複数形成されている。箱本体の長手方向の端部領域Ｓの接着部２２Ａは、箱本体の中央領域Ｃの接着部２２Ｂよりも、互いの間隔が狭く形成され、中央領域Ｃの接着部２２Ｂと同じかそれより小さい面積を有している。【選択図】図５
2015036302.tif 000002
【特許請求の範囲】
【請求項１】
箱本体の長手方向に沿って設けられた開封片を切り取ることによって箱本体を開封可能なラップフィルム収納箱であって、
前記箱本体には、前記開封片を接着する接着部が長手方向に沿って複数形成され、
前記箱本体の長手方向の端部領域の接着部は、前記箱本体の中央領域の接着部よりも、長手方向に互いに隣り合う接着部の間隔が狭く形成され、前記中央領域の接着部と同じかそれより小さい面積を有する、ラップフィルム収納箱。
【請求項２】
前記接着部は、前記長手方向に沿って一列に配置されている、請求項１に記載のラップフィルム収納箱。
【請求項３】
前記端部領域の接着部は、前記長手方向に沿って複数列に配置されている、請求項１に記載のラップフィルム収納箱。
【請求項４】
前記端部領域の接着部は、前記中央領域の接着部よりも小さい面積を有する、請求項３に記載のラップフィルム収納箱。
【請求項５】
前記中央領域の接着部は、前記長手方向に沿って複数列に配置されている、請求項３に記載のラップフィルム収納箱。
【発明の詳細な説明】
【技術分野】
【０００１】
本発明は、特に食品包装用のラップフィルム、アルミホイル、クッキングシート等（以下、「ラップフィルム」と称す）を巻回したフィルム巻回体を収容するラップフィルム収納箱に関する。
【背景技術】
【０００２】
ラップフィルムは、通常、紙製の芯体に巻回されてフィルム巻回体を構成し、当該巻回体が、紙製の直方体状のラップフィルム収納箱に収納されている。ラップフィルム収納箱は、フィルム巻回体が収納される上面が開口した直方体状の収納部と、当該上面開口を覆う蓋部を有し、使用開始前、蓋部は、収納部の上面開口を塞いだ状態で、箱前面の長手方向に沿った帯状の開封片によって封止されている。そして、使用開始時には、開封片を切り取ることによって、箱が開封される。
【０００３】
上述のラップフィルム収納箱は、使用開始前の消費者にわたるまでの流通段階で開封片が自然に切り取られ、開封されないこと（封止性）が必要である。また、使用開始時には、開封片が切り取り途中でちぎれないように開封片が切り取りやすいこと（開封性）が必要である。
【０００４】
特許文献１に記載の技術では、前板の箱長手方向に適宜な間隔をもって３〜１０個、所定の面積の局部接合部を設けることで、封止性を確保し、また開封容易性も確保しようとしている。また、特許文献２に記載の技術では、前板の中心線に隣り合わせの接着エリアを、端に隣合わせの接着エリアより小さくすることで、開封片の切り取り後の見栄えを良くし、さらには開封片の切り取りの際に、力を増加させることなく、開封片を容易に切り取ることができるようにしている。
【先行技術文献】
【特許文献】
【０００５】
【特許文献１】特開平０６−２９３３６号公報
【特許文献２】特開２０１２−１０１８１５号公報
【発明の概要】
【発明が解決しようとする課題】
【０００６】
しかしながら、特許文献１には、所定の面積の局部接合部を箱長手方向に適宜な間隔を持って３〜１０個配置するとの記載はあるものの、開封性と封止性を十分に満足するものではない。また、特許文献２の場合、前板の中心線に近い接着エリアを、前板の端に近い接着エリアより小さくすることの記載があるが、接着エリアが大きくなる端の部分の開封性は担保されていない。
【０００７】
本発明はかかる点に鑑みてなされたものであり、使用開始前の開封片の封止性と、使用開始時の開封片の開封性の両方を十分に確保できるラップフィルム収納箱を提供することをその目的とする。
【課題を解決するための手段】
【０００８】
本発明者は、鋭意研究を重ねた結果、箱本体の長手方向の端部領域の接着部の間隔、面積を適宜設定することで上記種々の課題が解決されることを見出し、本発明をなすに至った。すなわち、本発明は下記（１）〜（５）を提供する。
（１）箱本体の長手方向に沿って設けられた開封片を切り取ることによって箱本体を開封可能なラップフィルム収納箱であって、前記箱本体には、前記開封片を接着する接着部が長手方向に沿って複数形成され、前記箱本体の長手方向の端部領域の接着部は、前記箱本体の中央領域の接着部よりも、互いの間隔が狭く形成され、前記中央領域の接着部と同じかそれより小さい面積を有する、ラップフィルム収納箱。
（２）前記接着部は、前記長手方向に沿って一列に配置されている、（１）に記載のラップフィルム収納箱。
（３）前記端部領域の接着部は、前記長手方向に沿って複数列に配置されている、（１）に記載のラップフィルム収納箱。
（４）前記端部領域の接着部は、前記中央領域の接着部よりも小さい面積を有する、（３）に記載のラップフィルム収納箱。
（５）前記中央領域の接着部は、前記長手方向に沿って複数列に配置されている、（３）に記載のラップフィルム収納箱。
【発明の効果】
【０００９】
本発明によれば、使用開始前の開封片の封止性を確保できるので、消費者にわたるまでの流通段階で開封してしまうことを防止できる。また、使用開始時の開封片の開封性を確保できるので、開封片の取り外しが容易になり、ラップフィルム収納箱の外観品位を保ち、見苦しい切り取り状態にならない。
【図面の簡単な説明】
【００１０】
【図１】本発明のラップフィルム収納箱の概略を示す斜視図である。
【図２】ラップフィルム収納箱の展開図である。
【図３】蓋部を開放したラップフィルム収納箱の斜視図である。
【図４】開封片を切り取る様子を示すラップフィルム収納箱の斜視図である。
【図５】接着部の配置の例を示す前板の正面図である。
【図６】接着部の配置の他の例を示す前板の正面図である。
【図７】接着部の配置の他の例を示す前板の正面図である。
【図８】接着部の配置の他の例を示す前板の正面図である。
【図９】中央領域と端部領域の他の例を示す前板の正面図である。
【発明を実施するための形態】
【００１１】
本発明について、以下具体的に説明する。なお、以下の実施の形態は、本発明を説明するための例示であり、本発明はその実施の形態のみに限定されるものではない。同一の要素には同一の符号を付し、重複する説明は省略する。また、図面中、上下左右等の位置関係は、特に断らない限り、図面に示す位置関係に基づくものとする。さらに、図面の寸法比率は、図示の比率に限定されるものではない。
【００１２】
図１はラップフィルム収納箱１の概略を示す斜視図であり、図２は図１のラップフィルム収納箱１の表面側の展開図である。図３は蓋部を開けた状態のラップフィルム収納箱１の斜視図である。
【００１３】
図１及び図２に示すようにラップフィルム収納箱１（箱本体）は、全体が直方体形状を有し、例えば掩蓋片１０、蓋板１１、脇掩蓋片１２等からなる蓋部１３と、前板１４、底板１５、後板１６、脇板１７、折返し片１８等からなる収納部１９と、開封片２０とを有している。なお、折返し片１８は、前板１４の裏面（内面）側に折り返されるものであり、外観には現れない。
【００１４】
図３に示すように収納部１９は、上面開口１９ａを有する直方体状に形成され、透明のラップフィルムＦが円筒状の芯体に巻かれたフィルム巻回体Ｒを上面開口部１９ａから収納できる。
【００１５】
図１に示すように蓋部１３の蓋板１１は、後板１６の上端縁から前方に延びて収納部１９の上面開口１９ａを覆っている。掩蓋片１０は、蓋板１１の前端縁から前板１４側に延びて前板１４の前面を覆っている。
【００１６】
開封片２０は、収納部１９の前板１４の前面下部に位置し、ラップフィルム収納箱１の長手方向に沿って帯状に形成されている。開封片２０は、掩蓋片１０の先端縁に切り取り線２１を介して接続されている。開封前、開封片２０の裏面側は、図２に示す前板１４の複数の接着部２２に接着している。この開封片２０によって蓋部１３が封止されており、図４に示すように開封片２０を切り取り線２１に沿って端から切り取ることによって蓋部１３を開封することができる。
【００１７】
図５に示すように複数の接着部２２は、例えば同じ円形状で同じ面積（同じ大きさ）を有し、前板１４の長手方向に沿って前板１４の両端部間に亘り一列に並べられている。前板１４の端部領域Ｓの接着部２２Ａは、前板１４の中央領域Ｃの接着部２２Ｂよりも、互いの間隔が狭くなるように配置されている。具体的には、例えば接着部２２Ｂ同士の間隔Ｌ１が３０〜８０ｍｍ程度であるのに対し、接着部２２Ａ同士の間隔Ｌ２は、好ましくは５〜２５ｍｍ、より好ましくは１０〜２０ｍｍ程度に設定されている。なお、このときの「間隔」とは、接着部の端から隣の接着部の端までの最短距離を意味する。本実施の形態において中央領域Ｃは、例えば前板１４を長手方向に三等分したときの中央の領域であり、端部領域Ｓは、その両側の領域である。
【００１８】
図１及び図２に示すように開封片２０には、前板１４の各接着部２２に対応する位置に、半円切れ目２５が形成されている。これにより、仮に開封片２０側で想定外の層間剥離が生じた場合に半円切れ目２５で当該剥離を遮断することができる。なお、この半円切れ目２５はあってもなくてもよい。
【００１９】
掩蓋片１０の先端部の裏側には、図３及び図４に示すように収納部１９のフィルム巻回体Ｒから引き出されたラップフィルムＦを切断する切断部としての鋸刃３０が設けられている。鋸刃３０は、ラップフィルム収納箱１（掩蓋片１０）の長手方向の両側端に亘って形成されている。鋸刃３０は、開封片２０を切り取った時に、掩蓋片１０の先端縁から下方に突出する位置に形成されている。なお、この鋸刃３０などの切断部の材質は、金属、プラスチック、バルカナイズドファイバー等であり、切断部の形状は、直線状、Ｖ状、アーチ状、Ｍ字状等従来公知のものであれば特に制限はない。
【００２０】
図２及び図３に示すように前板１４の表面には、切断後に残るフィルム巻回体ＲのラップフィルムＦを、巻き戻らないように仮留めする仮留め部４０が形成されている。仮留め部４０は、例えばＵＶ硬化のニスにより形成され、粘着性を有している。仮留め部４０は、ラップフィルム収納箱１の長手方向に沿って形成されている。
【００２１】
ラップフィルム収納箱１を構成する原紙としては、例えば、ボール紙、コートボール紙、段ボール等が挙げられるが、これらに限定されず、当業界で公知の紙類を適宜選択して用いることができる。原紙は、これらの素材に、エンボス加工、印刷加工、ポリエチレン等を用いたラミネート加工が施されたものであっても構わない。
【００２２】
本実施の形態によれば、開封片２０の前板１４の端部領域Ｓの接着部２２Ａが、前板１４の中央領域Ｃの接着部２２Ｂよりも、互いの間隔が狭く形成されている。ラップフィルム収納箱１の移送中の衝突、および販売中の落下による衝撃は、開封片の中央部より両端部に大きくかかることから、前板１４に対する開封片２０の端部領域Ｓ全体の接着力を大きくすることで開封片２０が端部から剥がれることを防止できる。よって、開封片２０の封止性を十分に確保できる。また、端部領域Ｓの接着部２２Ａが、中央領域Ｃの接着部２２Ｂと同じ面積であるので、開封片２０を端から一方向（図中の開封方向Ｘ）に切り取り各接着部２２Ａ、２２Ｂから順に剥がす際に、開封片２０が各接着部２２Ａ、２２Ｂの接着力から受ける負荷が一定になる。この結果、一部に接着力の強い接着部がある場合のように開封片２０が途中でちぎれたり破れたりすることなく開封片２０を適切に切り取ることができる。よって、開封片２０の開封性を十分に確保できる。
【００２３】
以上の実施の形態において、端部領域Ｓにおける接着部２２Ａの総接着力が、中央領域Ｃにおける接着部２２Ｂの総接着力より大きく、なおかつ、開封片２０を一方向に切り取る際に開封片２０が接着部２２Ａ、２２Ｂの接着力から受ける負荷が同程度であれば、接着部２２Ａ、接着部２２Ｂは、他の配列、大きさであってもよい。また別の観点から、以上の実施の形態において、左右２カ所の各端部領域Ｓにおける接着部２２Ａの総面積Ｄ１が、中央領域Ｃにおける接着部２２Ｂの総面積Ｄ２よりも大きく、各接着部２２Ａの面積Ｅ１が、各接着部２２Ｂの面積Ｅ２と同じかそれより小さくてもよい。なお、左右２カ所の端部領域Ｓは、総面積Ｄ１が必ずしも一致する必要はなく、また各接着部２２Ａの面積Ｅ１も必ずしも同じである必要はない。
【００２４】
例えば図６に示すように端部領域Ｓの接着部２２Ａが長手方向に沿って複数列、例えば２列に並べられていてもよい。この場合、例えば長手方向に隣り合う接着部２２Ａ同士の間隔Ｌ２は、接着部２２Ｂ同士の間隔Ｌ１よりも狭く、各接着部２２Ａは、接着部２２Ｂよりも面積が小さくてもよい。かかる場合、端部領域Ｓの全体の接着力が中央領域Ｃの全体の接着力よりも大きくなり、開封片２０の封止性を確保できる。また、開封片２０を一方向に切り取る際に開封片２０が各接着部２２Ａ、２２Ｂの接着力から受ける負荷が同程度に維持されるので、開封片２０の開封性を確保できる。
【００２５】
また、上記接着部２２Ａを複数列に配置する例において、図７に示すように上下に隣接する列の接着部２２Ａが互い違いになるように配置されてもよい。この場合、長手方向に隣り合う接着部２２Ａ同士の間隔Ｌ２は、列の異なる最も近い接着部２２Ａ同士の間の距離となる。
【００２６】
また、上記接着部２２Ａを複数列に配置する例において、図８に示すように中央領域Ｃの接着部２２Ｂが、上記接着部２２Ａと同様に複数列、例えば２列に並べられていてもよい。この場合も、接着部２２Ａ同士の間隔Ｌ２は、長手方向に隣り合う接着部２２Ｂ同士の間隔Ｌ１よりも狭くなっている。
【００２７】
なお、以上の実施の形態では、端部領域Ｓ及び中央領域Ｃが前板１４を長手方向に三等分したものであったが、必ずしもその必要はない。図９に示すように前板１４の端を含む所定長さの端部領域Ｓの接着部２２Ａ同士の間隔Ｌ２が、前板１４の中央を含む所定長さの中央領域Ｃの接着部２２Ｂ同士の間隔Ｌ１よりも狭く、接着部２２Ａの面積が接着部２２Ｂの面積と同じか小さくてもよい。ただし、端部領域Ｓは、前板１４の１／６以上の長さを有するのが好ましい。
【００２８】
以上の実施の形態における接着部２２の個数は特に限定するものではないが、ラップフィルム収納箱１の長手方向のサイズに合わせ、４〜１６個の範囲にあることが好ましい。また、各接着部２２の面積は、１９．６ｍｍ2以下であることが好ましく、より好ましくは４．５〜１６．０ｍｍ2の範囲である。このような範囲にあれば、開封性と封止性のバランスが取りやすい。
【００２９】
また、接着部２２の形態は、特に限定するものではないが、例えば、円形或いは楕円形を有し、その周縁部には、前板１４の厚み方向に非貫通の半切り込み線を形成し、接着部２２の周囲には接着剤との剥離性が良好なニスが塗布され、そのニス塗布面に対し接着剤が仮留め程度の接着力しか示さないようにしてもよい。かかる場合、開封片２０を開封方向に引っ張って、前板１４の非貫通の半切り込み線で囲まれた接着部２２を層間剥離させることにより、開封片２０を切り取ることができる。
【００３０】
また、接着部２２は、その周縁部に切り込みが無く平坦であってもよい。接着部２２の周辺には接着剤との剥離性が良好なニスが塗布され、そのニス塗布面に対し接着剤が仮留め程度の接着力しか示さないようにしてもよい。かかる場合、開封片２０を切り取る際に、開封片２０側を層間剥離させ、開封片２０を切り取ることができる。
【００３１】
以上の実施の形態で記載した開封片２０の切り取り線２１は、図２に示すように開封片２０の開封開始端から開封終了端にわたり断続的に形成された複数の切り込み５０から構成されていてもよい。例えば切り込み５０は、開封方向Ｘに略垂直の縦向きの切り込み線５０ａと、開封方向Ｘに沿った横向きの切り込み線５０ｂを有している。例えば各切り込み５０は、一対の縦向きの切り込み線５０ａと横向きの切り込み線５０ｂが交差して略Ｔ字或いは略Ｊ字形状を有している。横向きの切り込み線５０ｂは、例えば縦向きの切り込み線５０ａの中央付近から開封方向Ｘ側に延びている。
【００３２】
開封の際には、開封片２０を開封方向Ｘへ引っ張ることにより、接着部２２における剥離と、切り込み５０相互間のつなぎ部分の破断が生じ、開封片２０が前板１４および掩蓋片１０から離れることにより、蓋部１３が開封される。また、開封片２０を切り取る際に、一の横向きの切り込み線５０ｂの端部から、次の縦向きの切り込み線５０ａに至る過程で、つなぎ部分の破断方向が多少上下しても、次の切り込み５０の縦向きの切り込み線５０ａの範囲で破断を受け止めることができる。
【００３３】
両端付近の隣り合う接着部２２Ａの間には、相当する位置の開封片２０の切り込み５０ｂと切り込み５０ｂの間のつなぎ部６０と切り込み５０の縦向きの切り込み線５０ａが配置されていることが好ましい。かかる場合、開封片２０を開封開始端から剥がすときに、縦向きの切り込み線５０ａの部分で一度開封片２０が折れる（曲がる）ことで、手前の接着部２２Ａの剥離が完了する。隣り合う接着部２２Ａの間に縦向きの切り込み線５０ａがない場合、開封片２０が折れ曲がらずに同時に次の接着部２２Ａまで剥がれはじめ、接着部２２Ａの２か所分の抵抗が生じる。隣り合う接着部２２Ａの間につなぎ部６０及び縦向きの切り込み線５０ａがあると、隣接する接着部２２Ａが、各々独立して開封されていくため、より開封を容易にすることができるため好ましい。より好ましくは、両端付近の間隔の狭い接着部２２Ａにおいて、接着部２２Ａの開封開始側の端から、開封開始側に６ｍｍ以内に、切り込み５０と切り込み５０の間のつなぎ部６０、あるいは縦向きの切り込み線５０ａを少なくとも一つを配置する。ただし、この場合、接着部２２上に切り込み５０と切り込み５０の間のつなぎ部６０、あるいは縦向きの切り込み線５０ａが配置されないように、接着部２２間の距離に合わせ、設計する必要がある。更に好ましくは、切り込み５０と切り込み５０の間のつなぎ部６０及び縦向きの切り込み線５０ａが、接着部２２の開封開始側の端から、開封開始側に１〜３ｍｍの範囲にあるとよい。このような範囲にあると、開封片２０を剥がす際に、接着部２２の直前で一旦開封片２０が折れ曲がるので、開封時の力が効果的に接着部２２に作用する。この結果、容易に開封できるとともに、不必要な接着部２２上での開封片２０の折れ曲がりを抑制でき、開封片２０のちぎれを抑制する等の効果が得られる。
【００３４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【産業上の利用可能性】
【００３５】
本発明は、ラップフィルム収納箱において、使用開始前の開封片の封止性と、使用開始時の開封片の開封性の両方を十分に確保する際に有用である。
【符号の説明】
【００３６】
１  ラップフィルム収納箱
１０  掩蓋片
１１  蓋板
１３  蓋部
１４  前板
１９  収納部
２０  開封片
２１  切り取り線
２２  接着部
２２Ａ  端部領域の接着部
２２Ｂ  中央領域の接着部
３０  鋸刃
４０  仮留め部
Ｃ  中央領域
Ｓ  端部領域
Ｒ  フィルム巻回体
【図１】
2015036302.tif 000003
【図２】
2015036302.tif 000004
【図３】
2015036302.tif 000005
【図４】
2015036302.tif 000006
【図５】
2015036302.tif 000007
【図６】
2015036302.tif 000008
【図７】
2015036302.tif 000009
【図８】
2015036302.tif 000010
【図９】
2015036302.tif 000011